(57)【要約】【課題】樹木に登って幹を伐採する作業において、作業効率を低下させることなく、落下防止のために作業員が身につける胴綱が樹木の切断部から抜け落ちる事故を効果的に防止することができる伐採作業用安全具を提供する。【解決手段】樹木の伐採部位の下方外周に対して着脱自在に締結されると共に周方向に沿って少なくとも一つの貫通穴を有したバインダ２と、樹木に締結されたバインダの一つの貫通穴を介して樹木外周面に先端から刺し込み固定される刺し込み部材４０と、を備えている。【選択図】図１
2013123536.tif 000002
【特許請求の範囲】
【請求項１】
樹木の伐採部位の下方外周に対して着脱自在に締結されると共に周方向に沿って少なくとも一つの貫通穴を有したバインダと、前記樹木に締結された前記バインダの一つの貫通穴を介して前記樹木外周面に先端から刺し込み固定される刺し込み部材と、を備えたことを特徴とする伐採作業用安全具。
【請求項２】
前記刺し込み部材を前記樹木外周面に刺し込む際にガイドするガイド部材を備え、
前記ガイド部材は、前記バインダに係合してその長手方向に沿って移動すると共に何れか一つの前記貫通穴と連通可能な連通穴を有した移動部材と、該移動部材の外面に一体化され、且つ前記連通穴と連通して前記刺し込み部材の刺し込みをガイドする軸穴を有した管体と、を備えていることを特徴とする請求項１に記載の伐採作業用安全具。
【請求項３】
前記刺し込み部材の他端には胴綱の抜けを防止するための係止突起が設けられていることを特徴とする請求項１又は２に記載の伐採作業用安全具。
【発明の詳細な説明】
【技術分野】
【０００１】
本発明は作業員が樹木に登って幹を伐採する作業において、落下防止のために作業員が身につける胴綱が樹木の切断部を越えて抜け落ちることによる落下事故を効果的に防止することができる伐採作業用安全具に関する。
【背景技術】
【０００２】
樹木の幹や枝を伐採する作業は高所で行われるため、作業員の落下事故を防止するために作業員の腰に装着した安全帯に胴綱を取付け、この胴綱を樹木の幹に巻き付けている。万が一作業員がバランスを崩したり、滑り落ちそうになったとしても、胴綱を幹に掛けておくことにより深刻な落下事故を防止することができる。
しかし、実際の先端伐採作業においては、胴綱を掛けた部分よりも上側の幹部位を切断することによって胴綱と切断部（幹の上端部）との距離が近くなるため、誤って胴綱が幹の上端部を乗り越えて抜け落ちて作業員が落下する事故が発生し易くなる。
図６はこのような先端伐採作業における事故の発生原因を示すパンフレットの抜粋である。同図のコマ１に示すように、樹木１１０の幹１１１に登って幹を切断する作業を行う際には、作業者Ｐの腰に装着した安全帯１００に取り付けた環状の胴綱１０１を幹１１１に取り付けた状態で、胴綱よりも上方の幹部位を切断する。切断が完了するとコマ２、３に示すように切断を受けた幹１１１の上端部と胴綱１０１との間の距離Ｌが短くなるため、胴綱１０１が幹の上端部から抜け落ち易くなる。切断部よりも上方の切断済みの幹１１２を持ち上げて落下させる等の作業時に作業者の身体が上方に伸び上がると、胴綱が幹に沿って上昇し、幹の上端部から抜け落ち易くなり、これが作業者Ｐの落下事故を招く原因となる。
このような事故を防止するために従来は、本胴綱の他に補助胴綱を安全帯に取り付け、この補助胴綱を本胴綱よりも下方の幹部分や、近辺にある枝に掛けたり、胴綱と切断箇所との間の幹にロープを固定し、周辺の樹木などにこのロープを張った状態としたり、或いは切断箇所よりも下方の幹部位に結束バンドを用いてカラビナを取付け、このカラビナに胴綱を挿通するといった対策が採られていた。
【０００３】
しかし、これらの対策は、何れも手間のかかる煩雑な作業であるため、伐採作業性を著しく低下させる原因となっている。また、伐採対象となる幹部分の周辺の状況によっては採用できなくなることも多々あった。
また、補助胴綱を本胴綱よりも下側の幹部位に取り付ける二重胴綱の措置を講じた場合であっても、本胴綱が幹の上端部から抜け落ちれば、小墜落による事故が発生することが懸念される。
特許文献１には、作業者が身につける安全帯に、樹木と人体との間に張られるロープの樹木側寄りの左右を繋ぐように掛ける墜落防止用補助具が開示されているが、ロープを掛けた樹木の幹の上方を切断した場合にはこのロープと切断箇所との距離が短くなるため、上記と同様の落下事故が発生する可能性がある。
【先行技術文献】
【特許文献】
【０００４】
【特許文献１】特開２０１０−７５５９７公報
【発明の概要】
【発明が解決しようとする課題】
【０００５】
従来、樹木に登って幹を伐採する先端伐採作業において、落下防止のために作業員が身につける胴綱が樹木の切断部から抜け落ちる事故を、作業効率を低下させずに効果的に防止する手段はなかった。
本発明は上記に鑑みてなされたものであり、樹木に登って幹を伐採する作業において、作業効率を低下させることなく、落下防止のために作業員が身につける胴綱が樹木の切断部から抜け落ちる事故を効果的に防止することができる伐採作業用安全具を提供することを目的としている。
【課題を解決するための手段】
【０００６】
上記目的を達成するため、請求項１の発明に係る伐採作業用安全具は、樹木の伐採部位の下方外周に対して着脱自在に締結されると共に周方向に沿って少なくとも一つの貫通穴を有したバインダと、前記樹木に締結された前記バインダの一つの貫通穴を介して前記樹木外周面に先端から刺し込み固定される刺し込み部材と、を備えたことを特徴とする。
作業員が樹木に登って幹を切断する際には、身につけた胴綱を切断箇所よりも下方の幹に巻き付けた状態で作業を行うが、切断部よりも上方の幹部分を落下させた後では、切断部と胴綱との間の距離が近くなるため、作業員の身体の動きによって胴綱が切断部を乗り越えて幹から外れてしまうことがある。本発明では、切断部位よりも下方の幹外周にバインダを固定すると共に、バインダに設けた貫通穴を利用して刺し込み部材を幹外面に刺し込み固定するようにしたので、刺し込み部材の下側に胴綱を配置しておくことにより、作業員がどのような動作をしたとしても胴綱が刺し込み部材によってじゃまされて切断部位側に移動することができなくなる。また、刺し込み部材を二箇所以上設け、胴綱の他の部位を他の刺し込み部材の上側に通すことにより、作業員が落下しそうになった時に胴綱を係止して落下を防止することができる。
【０００７】
請求項２の発明は、前記刺し込み部材を前記樹木外周面に刺し込む際にガイドするガイド部材を備え、前記ガイド部材は、前記バインダに係合してその長手方向に沿って移動すると共に何れか一つの前記貫通穴と連通可能な連通穴を有した移動部材と、該移動部材の外面に一体化され、且つ前記連通穴と連通して前記刺し込み部材の刺し込みをガイドする軸穴を有した管体と、を備えていることを特徴とする。
バインダに沿って周方向に移動するガイド部材を設け、ガイド部材の管体を利用して刺し込み部材を幹に刺し込むことにより、安定した刺し込み作業を実現できる。また、幹に差し込んだ刺し込み部材をガイド部材によって安定して支持できるため、幹に対する刺し込み部材の固定力を高めることができる。
【０００８】
請求項３の発明は、前記刺し込み部材の他端には胴綱の抜けを防止するための係止突起が設けられていることを特徴とする。
係止突起を設けることにより刺し込み部材を差し込む際の操作性を高めると共に、刺し込み部材の上側に通された胴綱が刺し込み部材から抜け落ちることを防止できる。また、刺し込み部材の下側に通された胴綱も係止突起があることによって刺し込み部材に沿って滑って上方へ移動することが防止できる。
【発明の効果】
【０００９】
本発明によれば、樹木に登って幹を伐採する作業において、落下防止のために作業員が身につける胴綱が巻き付け位置から上方に移動して樹木の切断部から抜け落ちる事故を、作業性を低下させることなく効果的に防止することができる。
【図面の簡単な説明】
【００１０】
【図１】（ａ）は本発明の一実施形態に係る伐採作業用安全具の構成を示す外観斜視図であり、（ｂ）は（ａ）のＸ−Ｘ断面図であり、（ｃ）は刺し込み部材とガイド部材の構成例を示す斜視図である。
【図２】（ａ）及び（ｂ）は留め具の一例を示す説明図である。
【図３】伐採作業用安全具を樹木の幹に取り付けた状態を示す断面図である。
【図４】本発明の変形例の構成を示す説明図である。
【図５】本発明の伐採作業用安全具を用いた作業状態を示す説明図である。
【図６】先端伐採作業における事故の発生原因を示す説明図である。
【発明を実施するための形態】
【００１１】
以下、本発明を図面に示した実施の形態により詳細に説明する。
図１（ａ）は本発明の一実施形態に係る伐採作業用安全具の構成を示す外観斜視図であり、（ｂ）は（ａ）のＸ−Ｘ断面図であり、（ｃ）は刺し込み部材とガイド部材の構成例を示す斜視図であり、図２（ａ）及び（ｂ）は留め具の一例を示す説明図であり、図３は伐採作業用安全具を樹木の幹に取り付けた状態を示す断面図であり、図４は本発明の変形例の構成を示す説明図であり、図５は本発明の伐採作業用安全具を用いた作業状態を示す説明図である。
【００１２】
この実施形態に係る伐採作業用安全具１は、樹木５０の幹５１の伐採部位５１ａの下方外周に対して着脱自在に締結されると共に周方向に沿って少なくとも一つの貫通穴３を有したバインダ２と、樹木５０の外周に締結されたバインダ２の一つの貫通穴３を介して樹木外周面に先端から刺し込み固定（ねじ込み、打ち込み等）される刺し込み部材（ドリル部材）４０と、を備える。
バインダ２は、貫通穴３を有したベルト４と、ベルト４を樹木の幹５１に緊密に巻き付けた状態で環状に締め付け固定する留め具１０と、を有する。
ベルト４はナイロン、その他の十分な強度と必要十分な可撓性を有した樹脂材料等から構成する。
留め具１０は、例えば、図２に示すようにベルト４の一端４ａに固定されたベース片１１と、ベース片１１によって回動自在に軸支された締結片１５と、を有する。ベース片１１は、底板１１ａと、底板の巾方向両端部から起立した側板１１ｂと、を有し、両側板１１ｂによって締結片１５の一端に設けた軸部１５ａを回動自在に軸支している。ベルト４の他端部４ｂは、ベース片１１の底板１１ａの上面と軸部１５ａとの間の挿入スペース内に差し込まれて、底板１１ａと両側板１１ｂに沿ってガイドされつつ入り込んでゆく。
【００１３】
締結片１５は、軸部１５ａによって軸支された操作部１６と、操作部１６の一端に設けられて操作部の開放時には底板１１ａとの間にベルトの他端部４ｂを差し込むためのスペースを形成すると共に、閉じた時には底板１１ａとの間でベルトを挟圧、或いは係止して保持するロック片１７とを有している。
ベルト４の上面には、例えばその長手方向に沿って逆止突起５を連続して形成し、操作部１６を閉止した時にロック片１７が隣接する逆止突起間の谷間に入り込むことにより、ベース片１１に対してベルト他端部４ｂを強固にロックするように構成してもよい。この場合、操作部１６を開放してロック片１７を逆止突起間の谷間から離脱させることによりロックが解除されるため、ベルト他端部をスペース内に沿ってスライド移動させて幹に対するベルトの締結力を調整したり、抜き取ったりすることができる。
逆止突起５は、ベルト面上の貫通穴３と干渉しない周方向位置に配置してもよいし、貫通穴の巾方向両側のスペースを利用して配置してもよい。何れにしても逆止突起５の間隔はロック片１７によるベルトの締結位置をｍｍ単位、或いはｃｍ単位で微調整できるように設定する。
【００１４】
幹周りにバインダ２を締結する場合には、まずベース片１１に対して操作部１６を開放させた状態で、つまり底板１１ａとロック片１７との間のスペース内にベルトが自由に挿通可能な状態（図２（ｂ）の鎖線で示した状態）で、ベルト４を幹の周りに巻き付けてからベルトの他端４ｂをベース片１１の底板１１ａと軸部１５ａとの間に差込む。ベルト４の内周面と幹の外周面との間に弛みがないように十分にベルト他端部４ｂを引き絞った状態で操作部１６を閉じてロック片１７を逆止突起５の谷間に嵌合させてロック状態とすることにより、ベルトを幹周りに緊密、且つ強固に締結することができる。
バインダを幹から取り外す場合には、操作部１６を開放させればよく、ベース片からベルトを容易に抜き取ることができる。
【００１５】
刺し込み部材４０は、ベルト４に設けた貫通穴３を利用して幹外面に刺し込まれることにより幹に固定される。刺し込み部材４０の先端は尖っており、その外周には雄螺子（ドリル部）が形成されているため、刺し込み部材を回転させることにより、その先端４０ａを幹外面にねじ込んで固定することができる。刺し込み部材４０の他端には係止突起４１を突設することにより、手作業による刺し込み部材の回転作業を容易化することができる。
なお、刺し込み部材４０を幹外面に刺し込む作業においては、ベルト４に沿って幹の周方向へ移動させることにより任意の幹部位に刺し込み部材を位置合わせし、安定して刺し込み作業を実施することを可能とするガイド部材３０を併用することが便利である。
即ち、ガイド部材３０は、バインダのベルト４に係合してその長手方向に沿って移動すると共に何れか一つの貫通穴３と連通可能な連通穴３２を有した移動部材３１と、移動部材の外面（幹と対面する内面と反対の面）に一体化され、且つ連通穴３２と連通して刺し込み部材の刺し込み動作をガイドする軸穴３６を有した管体３５と、を備えている。
【００１６】
移動部材３１は、ベルト４の外面を包囲してベルトの長手方向へ進退可能に構成された環状の本体３３を有し、本体３３の対向する２つの板面には連通穴３２が貫通形成されている。管体３５は軸穴３６と連通穴３２とを連通させた状態で一端を本体３３の外面に一体化されているため、管体３５の他端開口から刺し込み部材４０をその先端から挿入した時に、先端は連通穴３２を経由して移動部材３１の反対側に突出する。
管体３５は、刺し込み部材４０を差し込んだときに幹のほぼ中心部に向かって移動するように移動部材３１の外面と直交する方向へ延びている。管体３５の内面（特に先端寄り内面）に雌ネジ部を形成すると共に、刺し込み部材４０の外周面にこの雌ネジ部と螺合する雄螺子部を形成してもよいし、管体内面と刺し込み部材外面（先端部を除く）にネジ部を形成しない構成であってもよい。管体の内面に雌ネジ部を形成して刺し込み部材の雄螺子部と螺合させる場合には、刺し込み部材４０をねじ込む際のねじ込み力を螺合部がサポートして安定したねじ込み作業を実現することができる。
刺し込み部材４０のテーパー状の先端部４０ａにはネジ状のドリル部を形成することにより、樹木の幹にねじ込んで固定し易くするのが好ましい。幹に付き差さった状態にある刺し込み部材を取り外す場合には、刺し込み部材を逆方向へ回転させればよい。
或いは、刺し込み部材をネジ込み式にせず、金槌等の工具によって釘のように幹に打ち込むようにしてもよい。
【００１７】
刺し込み部材４０は、胴綱がこれを越えて上方に移動しないようにするための手段であり、且つ作業員が落下しそうな場合には胴綱を掛けることによって作業員の体重を支える手段であるため、十分な刺し込み深さを確保し、且つ十分な固定強度で幹によって支持される必要があるが、バインダ２による幹外面への締結力と協働して作業員の体重を支えることが可能となる。係止突起４１は、ねじ込み作業時の手掛かりとなるばかりでなく、作業員が落下しそうな時に胴綱を確実に係止しておくために役立つ。図示した係止突起４１は棒状体であり、刺し込み部材４０に対して直交することによりＴ字を形成しているが、係止突起４１の形状は任意であり、Ｌ字状、板状、その他、種々変更可能である。
なお、上記実施形態では、移動部材３１に対して管体３５を一体的に構成した例を示したが、両者を着脱自在に構成してもよい。具体的には、例えば図５に示したように移動部材３１の外側面に外周に雄螺子部３４ａを有した連結管体３４を突設すると共に、管体３５の一端寄り内面に雄螺子部３４ａと螺合する雌ネジ部３５ａを形成し、雄螺子部３４ａと雌ネジ部３５ａとの螺合によって連結管体３４と管体３５とを着脱自在に構成する。
ガイド部材３０は、一つのベルト２に対して最低一個、好ましくは２個配置することにより、刺し込み部材による胴綱の係止と、作業員の体重の保持を確実化することができる。
ガイド部材３０をベルト４に挿通する場合は、ベルトを幹に巻き付ける前に、ベルト一端部４ａを締結片１５の底板１１ａとロック片１７との間のスペース内に挿通しておき、ベルト上の大まかな位置に移動しておく。
【００１８】
樹木の幹に対する本発明の伐採作業用安全具１の取付け手順は、次の通りである。
まず、図５に示すように樹木の幹５１に取り付いた作業員Ｐの安全帯４５から延びる胴綱４６は幹の外周に対して環状に掛けられる。この際、一方の刺し込み部材４０Ａとの関係では胴綱はその下側を通すと共に、他方の刺し込み部材４０Ｂの上側を通しておく。このように胴綱を掛けることより、胴綱が伐採作業用安全具１を越えて上方へ移動しようとしても一方の刺し込み部材４０Ａによって上方への移動が阻止される。また、胴綱と幹との間に滑りが発生して作業員が落下しそうになった場合には、他方の刺し込み部材４０Ｂで胴綱を係止することができるため、作業員が落下することを防止できる。
或いは、胴綱が全ての刺し込み部材４０Ａ、４０Ｂの下側に位置するようにしてもよい。
要するに、胴綱全体が全ての刺し込み部材４０Ａ、４０Ｂの上方に位置しないように胴綱を幹に対して巻き付ければ、作業員の動作によって胴綱が上方に移動して幹上端部（切断部）を越えて抜け落ちそうになった時に少なくとも何れか一方の刺し込み部材が胴綱を引っかけることにより胴綱の上方への移動を防いで抜け落ちを防止することができる。
なお、ガイド部材は必須ではなく、ベルトの貫通穴に直接刺し込み部材を差し込んで幹に打ち込むようにしてもよい。或いは、管体を有しない移動部材だけをベルトに挿通してもよい。
【００１９】
以上のように本発明によれば、樹木に登って幹を伐採する作業において、落下防止のために作業員が身につける胴綱が巻き付け位置から上方に移動して樹木の切断部から抜け落ちる事故を、作業性を低下させることなく効果的に防止することができる。
即ち、切断部位よりも下方の幹外周にバインダを固定すると共に、バインダに設けた貫通穴を利用して刺し込み部材を幹外面に刺し込み固定するようにしたので、刺し込み部材の下側に胴綱を配置しておくことにより、作業員がどのような動作をしたとしても胴綱が刺し込み部材によってじゃまされて切断部位側に移動することができなくなる。また、刺し込み部材を二箇所以上設け、胴綱の他の部位を他の刺し込み部材の上側に通すことにより、作業員が落下しそうになった時に胴綱を係止して落下を防止することができる。
また、バインダに沿って周方向に移動するガイド部材を設け、ガイド部材の管体を利用して刺し込み部材を幹に刺し込むことにより、安定した刺し込み作業を実現できる。また、幹に差し込んだ刺し込み部材をガイド部材によって安定して支持できるため、幹に対する刺し込み部材の固定力を高めることができる。
また、係止突起を設けることにより刺し込み部材を差し込む際の操作性を高めると共に、刺し込み部材の上側に通された胴綱が刺し込み部材から抜け落ちることを防止できる。また、刺し込み部材の下側に通された胴綱も係止突起があることによって刺し込み部材に沿って滑って上方へ移動することが防止できる。
【符号の説明】
【００２０】
１…伐採作業用安全具、２…バインダ、３…貫通穴、４…ベルト、４ａ…ベルト一端部、４ｂ…ベルト他端部、５…逆止突起、１０…留め具、１１…ベース片、１１ａ…底板、１１ｂ…側板、１５…締結片、１５ａ…軸部、１６…操作部、１７…ロック片、３０…ガイド部材、３１…移動部材、３２…連通穴、３３…本体、３４…連結管体、３４ａ…雄螺子部、３５…管体、３５ａ…雌ネジ部、３６…軸穴、４０…刺し込み部材、４０Ａ、４０Ｂ…刺し込み部材、４０ａ…先端部、４１…係止突起、４５…安全帯、４６…胴綱、５０…樹木、５１…幹、５１ａ…伐採部位
【図１】
2013123536.tif 000003
【図２】
2013123536.tif 000004
【図３】
2013123536.tif 000005
【図４】
2013123536.tif 000006
【図５】
2013123536.tif 000007
【図６】
2013123536.tif 000008